Podtech/llm-jp-corpus-v4-ja_patent huggingface dataset:
(57)【要約】      （修正有）【課題】着衣のぬれる事を気にせずに安心して洗顔する事が出来る洗顔用上着カバーを提供する。【解決手段】冬用夏用と、素材とデザインを気候に合わせたものを着用する事で快適に、又、着衣をぬらざずに、いつ、どこでも、男女を問わず安心して洗顔（石鹸洗顔）をする事ができる。【選択図】図２
0003108794.tif 000002
【実用新案登録請求の範囲】
【請求項１】
洗顔時、飛び散る水から着衣を守る為、前身頃と袖をナイロン生地とし後ろ開きとする。冬用は長袖とし袖口をゴム入りにして、洗顔時は肘までまくし上げる様にして使用し、夏用は背部を綿生地にし、袖をストレートの半袖とする。
又、首まわりは、水が入らないようにぴったりとさせる為、首の後ろを各自の首の太さに合わせて止められる様にマジックテープを取り付け、胴まわりもぶかぶかしていると洗いづらいので、各自の胴まわりに合わせて後ろをマジックテープで止める様にした洗顔用上着カバー。
【考案の詳細な説明】
【技術分野】
【０００１】  前身頃と袖をナイロン生地とし、首まわり、胴まわりもぴったり止められる様に後開きの首の部分と胴の部分にマジックテープを取り付ける。
【背景技術】
【０００２】  以前には、洗顔時水しぶきから衣類を守る物がなかった。
【考案の開示】
【考案が解決しよとする課題】
【０００３】  近年、女性は勿論の事男性に於いても美容面で夜は寝る前に、オイル、栄養クリーム等を塗ったり、昼は化粧をする為、クレンジングで落としてからの洗顔は、結構、石鹸やパウダー等で水での洗顔は念入りに洗わなくてはならず、胸のあたりや上腕のあたりに水しぶきが飛び散りドライヤーで乾かしたり、タオルでふいたりと、洗顔のたびに衣服を乾かさなくてはならず、ぬれても良いような服を着て洗顔をしなくてはならない不都合を解決しようとするものである。
【課題を解決するための手段】
【０００４】  この為衣類をぬらさない為の薄くて柔らかいナイロン生地で首までぴったりと、腕まくりの出来る、上着カバーをつけることにより、着衣のぬれる事を心配しないで気楽にバシャバシャと洗顔出来る事により問題点を解決している。
【考案の効果】
【０００５】  冬セーターを着ていても、外出用の服を着た後でも、また、夜パジャマに着替えてからも、上着カバーを付けることにより着衣のぬれることを心配せずに洗顔をする事が出来る。
【考案を実施するための最良の形態】
【０００６】  身ごろは水にぬれても良いナイロン地で作り裾に身頃に飛んだ水がたれ落ちたものを受け止める為５〜７ｃｍ幅位の布地を使う。袖口はゴム入りで冬用の服まで包み込めるように長袖にし、肘までまくしあげる。夏用は袖をストレートの半袖とする。又、男性用、女性用と色柄も区別し、サイズもＬＬ、Ｌ、Ｍとする。
【実施例】
【０００７】  図１、図２の上着カバーは冬、春、秋用として、首の後ろの箇所と胴の後ろの箇所のマジックテープを各自の体に合わせて止め、袖は肘までまくし上げて使用する。図３、図４の上着カバーは夏用として使用する。
【産業上の利用可能性】
【０００８】  誰でも朝晩の洗顔時やいつどこでも携帯して、旅行先でも、又、芸能関係の人達の仕事場でも一年中四季を問わず、また、男女年齢を問わずまた、世界の人々に洗顔時に着衣のぬれる事の心配なく使用していただけるもの。
【図面の簡単な説明】
【０００９】
【図１】      考案の長袖の前身頃の表示図である。
【図２】      考案の後ろ身頃の表示図である。
【図３】      考案の半袖の前身頃の表示図である。
【図４】      考案の半袖の後ろ身頃の表示図である。
【符号の説明】
【０００１０】１．ナイロン生地
２．袖口ゴム入り
３．ガーゼまたはタオル地
４．マジックテープ
５．マジックテープ
６．綿、麻生地
【図１】
0003108794.tif 000003
【図２】
0003108794.tif 000004
【図３】
0003108794.tif 000005
【図４】
0003108794.tif 000006
【手続補正書】
【提出日】平成16年11月18日(2004.11.18)
【手続補正１】
【補正対象書類名】実用新案登録請求の範囲
【補正対象項目名】全文
【補正方法】変更
【補正の内容】
【実用新案登録請求の範囲】
【請求項１】
冬用上着は、前身ごろ、後身ごろ、袖全てをナイロン生地を使用し、袖は長袖で袖口をゴム入りとし、襟ぐりは、首の根元ぴったりに作り、後ろ開きで首の部所と背の部所を面ファスナーで止められるように取り付け、身ごろの裾に所定の幅のガーゼ地又はタオル地をつけた洗顔用上着カバー。
【請求項２】
夏用上着は、前身ごろと袖はナイロン生地を使用し、後身ごろは綿生地で作り、袖は半そでのストレートの形とし、襟ぐりは首の根元ぴったりに作り、後開きで首の部所と背の部所を面ファスナーで止められるように取り付け、身ごろの裾に所定の幅のガーゼ地又はタオル地を付けた洗顔用上着カバー。
(57)【要約】      （修正有）【課題】フットレストは金属やプラスティックで出来ているため車椅子に長時間座っていると足元が冷える。また介護者が利用者を車椅子に移乗させる際、足やスネなどをぶつけて皮膚剥離などのけがをすることがある。これらを改善するカバーを提供する。【解決手段】室内で長時間車椅子に座っているときなどフットレストカバーをかけておくことにより冷えの防止に役立つ。介護者が利用者を車椅子に移乗するときはカバーがクッションとなりけがを防ぐことが出来る。また面ファスナー着脱で、利用者の用途に応じて取り外しは自由で洗濯可能なため清潔も保つ事が出来る。利用者の好みでカラフルな布でカバーを作って取り付ける事で従来の移動手段としてのハードなイメージから車椅子とは利用者の個性ととらえファッションの１部として明るいおしゃれなイメージに一新させることが期待できる。【選択図】図１
0003108800.tif 000002
【実用新案登録請求の範囲】
【請求項１】
車椅子のフットレストを包むように取り付けるために、面ファスナーを有したカバー
【考案の詳細な説明】
【技術分野】
【０００１】車椅子のフットレストにカバーを取り付けた福祉分野の考案
【背景技術】
【０００２】従来の車椅子に付けるフットレストカバーが無かった。
【考案の開示】
【考案が解決しようとする課題】
【０００３】車椅子のフットレストは金属やプラスティックで出来ていて室内などで長時間座っていると足元が冷える。介護者が利用者を車椅子に移乗させる際に誤って足やスネなどをフットレストにぶつけて皮膚剥離などのけがをさせることがある。また車椅子は見た目にも冷たいイメージがあるので布製のフットレストカバーを取り付ける事により前述の欠点を解決しようとするものである。
【課題を解決するための手段】
【０００４】車椅子のフットレストに布製のカバーを取り付ける。
【考案の効果】
【０００５】布製のカバーをかけることによって直接金属やプラスティックに触らないため冷えの防止につながると考えられる。また介護者が利用者を車椅子に移乗するときもカバーがクッションの役目をし、けがを防ぐ事が出来る。面ファスナー着脱で、利用者の用途に応じて取り外しも自由で洗濯可能なため清潔も保つ事が出来る。利用者の好みでカラフルな布でカバーを作って取り付ける事で従来の移動手段としてのハードなイメージから車椅子とは利用者の個性ととらえファッションの１部として明るいおしゃれなイメージに一新させることが期待できる。
【考案を実施するための最良の形態】
【０００６】キルティングやフリース等の生地を使って利用者の車椅子にあったサイズのフットレストカバーを作成する。また利用者の用途に応じ室内用と防水加工した布で外出用も作成する。
【図面の簡単な説明】
【０００７】
【図１】本考案の実施例を示す車椅子アイテム・フットレストカバーの側面図フットレストに袋状に縫った面ファスナー付きカバーを取り付ける
【図１】
0003108800.tif 000003
(57)【要約】      （修正有）【課題】釣り用、特にイカの釣りにおいて、釣り用把手形投入器の握り部分が回転防止形かつグリップを設け、舟べりにも取付けできるように形成させて、あたかも把手形に形成させる。【解決手段】釣り用把手形投入器の握り部分に、回転防止形グリップ４を設け、あたかも把手形に相似した形状とし、舟べりには、竿掛けを取付けて、人の把手以外でも使えるようにする。【選択図】図１
0003108793.tif 000002
【実用新案登録請求の範囲】
【請求項１】
等辺山形鋼を本体（１ａ，１ｂ）とし、１ａ，１ｂの間を空間を設けその先端からイカ針が挿入てきるようにし、前記本体（１ａ，１ｂ）に柄（２）の先端を楔形（２ａ）に構成して固定し、それに握りやすいように滑り止めグリップ（４）を設け又、柱形伸縮管（３）の先端を楔形回転防止（３ｄ）として前記柄（２）に挿入し、柱形管（３ｂ）は舟べりに取り付けもでき又、竿掛け（３ｃ）にも取り付けもできるように形成したことを特徴とする釣り用把手形投入器。
【考案の詳細な説明】
【考案の詳細な説明】
【技術分野】
【０００１】本考案は釣具において、動作上の人体の疲れを防止し、釣り現場において快適な環境を維持する技術に関わるものである。
【背景技術】
【０００２】専門的に業としない釣りについては、釣り針は胴の所を片手に数本を持って投入の順番に並べ針は上向きにし錘から１個１個と投入する。投入のさいに手に引っ掛かかったり怪我したり又、市販されている筒型投入器は投入は可能であるが巻き上げの時１個１個と力強く握らないと前記と同様になり又、ピストル把手形投入器は等辺山形鋼にイカ針は片面の針だけが掛かるので外れることもあるので不安全な動作で行っている。【０００３】また巻き上げる時も片手に針胴を持って針を上向きして１個１個と回収するが、その時に錘の重さが常に片手にかかる。【０００４】針胴を常に力強く握らないとスッポ抜けになるような不便さがあり複雑でもあり怪我の多発を生じていた。
【考案が解決しょうとする課題】
【０００５】本考案は前記従来の技術で述べたような釣りに関する不利不便を解消し、諸々の不安全な動作を是正し、諸々の不安全な動作の取り扱いを解消させ、かつ釣り人の疲労も少なくすることを課題として成された。
【課題を解決するための手段】
【０００６】本体に釣り用把手形投入器と柱形投入器と釣り針も少数、多数と取り付けられることができるようにする。
【０００７】前記把手形投入器は釣り針が少数であっても設けることが出来る。
【０００８】前記柱形投入器は釣り針を多数設けることが出来る。
【０００９】前記投入する場合はスームズに釣り針が投入出来る。
【考案を実施するための最良の形態】
【００１０】本項の実施の形態は、前項の「課題を解決するための手段」と重複する箇所も多く、また実施の例は次項の「実施例」に詳記してあるので本項は主に作用について記述する。【００１１】把手形投入器は釣り人の体力に合わせる。【００１２】また柱形投入器は釣り人の身長に合わせて伸縮管の高さを調整して固定する。【００１３】前記に本体を挿入する。【００１４】本体の操作棒閉の状態を確認し本体の根元から竿側の近釣針側を順序よく並べて掛ける。【００１５】前記に錘を取り付ける。【００１６】投入する場合は操作棒開の状態にする。【００１７】前記糸を巻き上げ針は本体の根元側から順序よく並べて掛ける。【００１８】本体に釣り針が装備したまま舟が移動時、揺れても操作棒閉の状態で外れない。【００１９】等辺山形鋼２本の組み合わせ間の先端からイカ針が挿入がてきるようにする。。【００２０】カバーを掛けたまま投入又は収納が出来る。
【考案の効果】
【００２１】手に引っ掛かかったり怪我したりすることなく、且つ安全に素早く投入できる。
【００２２】初心者でも気楽に出来る。
【００２３】身体の疲労が減少する。
【００２４】本体に釣り針を簡単に挿入出来る。
【００２５】獲物が増大する。
【００２６】本体に釣り針を掛けたままで舟内移動時も又、収納する時も簡単で手間が掛からない。
【００２７】軽量で持ち運び簡単である。
【図面の簡単な説明】
【図１】本考案品の総体的斜視図。
【符号の説明】
１ａ，等辺山形鋼
１ｂ，等辺山形鋼
２，  柄
２ａ，楔形
３，  柱形伸縮管
３ａ，伸縮器
３ｂ，舟べり等に取り付け管
３ｃ，竿掛けに取り付けボルト
３ｄ，楔形
４，  滑り止めグリップ
５，  カバー止め
６，  針の滑り止め又は、操作棒閉の状態
７，  操作棒投入フック
８，  上記６の投入開の状態
９，  道糸へ
１０，  錘へ
１１，  イカ針
１２，  把手形カバー
１３，  上記５の把手形カバー取付孔
１４，  把手形投入収納カバー
【図１】
0003108793.tif 000003
【手続補正書】
【提出日】平成16年11月15日(2004.11.15)
【手続補正１】
【補正対象書類名】実用新案登録請求の範囲
【補正対象項目名】全文
【補正方法】変更
【補正の内容】
【実用新案登録請求の範囲】
【請求項１】
等辺山形鋼を本体（１ａ，１ｂ）とし、前記本体（１ａ，１ｂ）の間を空間を設けその先端からイカ針が挿入てきるようにし、前記本体（１ａ，１ｂ）に柄（２）の先端を楔形（２ａ）に構成して固定し、それに握りやすいように滑り止めグリップ（４）を設け又、柱形伸縮管（３）の先端を楔形回転防止（３ｄ）として前記柄（２）に挿入し、柱形管（３ｂ）は舟べりに取り付けもでき又、竿掛け（３ｃ）にも取り付けもできるように形成したことを特徴とする釣り用把手形投入器。
(57)【要約】 【課題】       シャンプーやリンスなどの容器、及びペットボトルなどを吊り下げても、中の液体が漏れる事無く、更に充分な結束によって容器が抜け落ちない事を目的とした、安価でシンプルな構造の吊り下げ具の提供を課題とする。【解決手段】       弾性を有する合成樹脂の糸にて、リング１を連結して鎖状に形成した弾性紐２と、弾性紐２の任意の位置に、リング１を引っ掛けるフック３を設け、更にその中間に吊り輪５を設けた吊り下げ具を提供する。【選択図】    図１ 
0003116286.tif 000002
【実用新案登録請求の範囲】
【請求項１】
弾性を有する合成樹脂の糸にて、リングを連結して鎖状に形成した弾性紐と、該弾性紐の任意の位置にリングを引っ掛けるフックを設けた事を特徴とする吊り下げ具。
【請求項２】
弾性紐の中間に吊り輪を設けた事を特長とする請求項１記載の吊り下げ具。
【考案の詳細な説明】
【技術分野】
【０００１】
本考案は、シャンプーやリンスなどの容器を浴室の床や什器の上に置かず、壁のポールなどに吊り下げたり、又お茶やジュースのペットボトルを手に持ち歩かず、ズボンのベルトなどに引っ掛けて持ち運び出来るようにした吊り下げ具に関する物である。
【背景技術】
【０００２】
シャンプーやリンスなどの容器は、湿気の多い浴室の床や什器の上に置かれていて、カビや汚れが付きやすく不衛生である。
【０００３】
又、お茶やジュースなどのペットボトルを持って出かける時、手に持つか、或いは袋物に入れてその袋物を吊り下げている。
【０００４】
従来この種の吊り下げ具として、特許文献１のペットボトル携帯ホルダーが存在する。
【０００５】
しかしながら、帯状態を容器首部に巻きつけ、弓状片の締め具にて繋留する方法は、容器首部の凹凸部が浅い容器に取り付けると、紐や締め具が邪魔になり蓋を完全に閉める事が出来ず、中の液体が漏れる恐れがある。更に湿気の多い浴室では、カビや汚れが付きやすいので、吊り下げ具は耐水性があり且つシンプルな構造であるのが望ましい。よって特許文献１の布からなるペットボトル携帯ホルダーは不向きである。
【特許文献１】登録実用新案第３０６７０４２号
【考案の開示】
【考案が解決しようとする課題】
【０００６】
本考案は、シャンプーやリンスなどの容器及びお茶やジュースなどのペットボトルを吊り下げても、中の液体が漏れる事がなく、更に充分な結束によって容器が抜け落ちない事を目的とした、安価でシンプルな構造の吊り下げ具の提供を課題とする。
【課題を解決するための手段】
【０００７】
弾性を有する合成樹脂の糸にて、リング１を連結して鎖状に形成した弾性紐２と、弾性紐２の任意の位置にリング１を引っ掛けるフック３を設け、更に弾性紐２の中間に吊り輪５を設けた吊り下げ具によって達成される。
【考案の効果】
【０００８】
本考案により、湿気の多い浴室のシャンプーやリンスなどの容器を、壁のフックやポールに吊り下げる事によって、容器にカビや汚れがつきにくくなる。又、容器を置く什器もカビや汚れが付きやすく不衛生だったが、容器や小物を吊り下げる事により、置く為の什器は必要なくなり浴室全体が衛生的になる。
【０００９】
洗面所は、壁にフックの付いたネットを取り付け、化粧品や洗面用具などの小物を吊り下げて整理する事により、何処に何があるか一目瞭然である。
【００１０】
台所の油類も吊り下げる事によって、床に油汚れが付かず衛生的である。
【００１１】
更に、お茶やジュースなどのペットボトルを手に持ち歩かず、ズボンのベルトなどに引っ掛けて持ち運びできる。
【００１２】
容器に弾性紐２を取り付けた後、不要となった弾性紐１０をカットしなければ何度でも着脱可能である。
【００１３】
弾性紐２は強く引っ張るとリングが潰れ更に細い糸状になる事から、二重に巻きつけても容器首部の凹部に入り蓋を完全に閉める事ができる。そうする事によって更に強固に繋留する事ができる。
【００１４】
又、弾性紐２を太くしたり長くしたりする事によって、重い物や大きな物にも対応出来る。
【考案を実施するための最良の形態】
【００１５】
以下本考案の実施の形態について、図面を参照しながら説明する。
図１は吊り下げ具の正面図で、弾性を有する合成樹脂の糸にて、リング１を連結して鎖状に形成した弾性紐２と、弾性紐２の任意の位置に合成樹脂からなるフック３を設け、更に弾性紐２の中間に合成樹脂の吊り糸４と吊り輪５を設けたものである。
【実施例１】
【００１６】
図２は弾性紐の異なる実施例で、一本の合成樹脂の糸で鎖状に編んだものである。
【実施例２】
【００１７】
図３は弾性紐の異なる実施例で、合成樹脂の糸で梯子状に形成したものである。
【実施例３】
【００１８】
図４は、弾性紐２を容器８に取り付けた例である。
容器８の首部の凹部９に弾性紐２を巻きつけ、フック３の所で交差させ強く締めながらリング１をフック３に引っ掛けて留めたものである。これによって、容器８の首部の凹部９と弾性紐２との間に隙間が全く出来ず、吊り下げても抜け落ちない。この様に合成樹脂の糸からなるリングを連結して形成された弾性紐２は、強く引っ張るとリングが潰れ更に細い糸状になる事から、狭い隙間に取り付け可能であり、又、ずれたり抜け落ちたりしない。
【実施例４】
【００１９】
図５は、図４にて取り付けた後、不要となった弾性紐１０をカットして容器の蓋１１を完全に閉めた図である。又弾性紐２を付けたままでも容器の蓋を閉める事ができる。更に、吊り輪５を着脱自在な吊り輪１２にすることで、ズボンのベルトなどに引っ掛けて持ち歩ける様にしたものである。
【実施例５】
【００２０】
図６は浴室でシャンプーやリンスなどの容器をポールに吊り下げている例である。
【実施例６】
【００２１】
尚,容器が殆ど小物の為、フック３の位置は吊り下げ糸４の近くであるのが望ましい。
【図面の簡単な説明】
【００２２】
【図１】吊り下げ具の正面図
【図２】弾性紐の異なる実施例を示す拡大部分図
【図３】弾性紐の異なる実施例を示す拡大部分図
【図４】同上の使用例図
【図５】同上の使用例図
【図６】浴室での使用例図
【符号の説明】
【００２３】
１      リング
２      弾性紐
３      フック
４      吊り下げ糸
５      吊り輪
６      弾性紐の異なる実施例
７      弾性紐の異なる実施例
８      容器
９      容器首部の凹部
１０    不要となった弾性紐
１１    容器の蓋
１２    着脱自在な吊り輪
【図１】
0003116286.tif 000003
【図２】
0003116286.tif 000004
【図３】
0003116286.tif 000005
【図４】
0003116286.tif 000006
【図５】
0003116286.tif 000007
【図６】
0003116286.tif 000008
(57)【要約】      （修正有）【課題】接地した車輪の前後に食い込む一対のストッパ部材を、その相互間隔を変位可能に針金状または帯状の弾性支持体で連結し、径の大小異なる車輪への適用範囲を広げた。【解決手段】接地した車輪の前後に食い込む互いに対向した一対のストッパ部材４ａ、４ｂと、前記ストッパ部材の所定の最小相互間隔を以って該ストッパ部材を両端に１個ずつ有し、前記最小相互間隔を広げる向きに前記ストッパ部材を変位可能に支持した針金状または帯状の弾性支持体５、１５、２５、３５とで構成される。【選択図】図１
0003116224.tif 000002
【実用新案登録請求の範囲】
【請求項１】
接地した車輪の前後に食い込む互いに対向した一対のストッパ部材と、前記ストッパ部材の所定の最小相互間隔を以って該ストッパ部材を両端に１個ずつ有し、前記最小相互間隔を広げる向きに前記ストッパ部材を変位可能に支持した針金状または帯状の弾性支持体からなることを特徴とする車輪用ストッパー。
【考案の詳細な説明】
【技術分野】
【０００１】
本考案は、キャスター付きの台車や乳母車等の手押車における車輪用ストッパーに関する。
【背景技術】
【０００２】
車輪用のストッパーとして、接地した車輪の前後に食い込む互いに対向した一対のストッパ部材を有するキャスター用ストッパが知られている。このキャスター用ストッパは、外力により変形可能な柔軟な弾性合成樹脂でＵ字状に一体成形されたものであって、その各脚部が、接地した車輪の前後に置かれる一対のストッパ部材を構成している。
【０００３】
【特許文献１】特開２００４−１８２１７６
【考案の開示】
【考案が解決しようとする課題】
【０００４】
キャスターなどの車輪を固定する、既に知られている車輪用ストッパーは、Ｕ字状に一体成形されたその各脚部がストッパ部材を構成しているので、径の大小異なる車輪への適用範囲が狭いという問題点がある。
【０００５】
本考案は、従来の車輪用ストッパーの問題点を解決した車輪用ストッパーを提供することを目的とする。
【課題を解決するための手段】
【０００６】
請求項１の考案は、接地した車輪の前後に食い込む互いに対向した一対のストッパ部材と、前記ストッパ部材の所定の最小相互間隔を以って該ストッパ部材を両端に１個ずつ有し、前記最小相互間隔を広げる向きに前記ストッパ部材を変位可能に支持した針金状または帯状の弾性支持体からなることを特徴とする。
【考案の効果】
【０００７】
本考案によれば、接地した車輪の前後に食い込む一対のストッパ部材を、その相互間隔を変位可能に針金状または帯状の弾性支持体で連結したので、径の大小異なる車輪への適用範囲が広がる効果を奏する。また、その構造及び操作も簡単である。
【考案を実施するための最良の形態】
【０００８】
図１は、キャスターなどの比較的小型の車輪１が、車輪用ストッパー２により地面３（床面を含む）に対して暫定的に固定されている状態を示す。
車輪用ストッパー２は、接地した車輪１の前後にそれぞれ食い込む互いに対向したストッパ部材４ａ、４ｂと、ストッパ部材４ａ、４ｂを両端に１個ずつ有する弾性支持体５からなる。
【０００９】
ストッパ部材４ａ、４ｂは、ゴム材で作られていて、それらの各先端を、接地した車輪１の前後に食い込ませる楔状をなしており、一方、弾性支持体５は、湾曲した弾性針金であって、図２に示すように、ストッパ部材４ａ、４ｂの所定の最小相互間隔ｄを以ってストッパ部材４ａ、４ｂを両端に保持している。ストッパ部材４ａ、４ｂは、最小相互間隔ｄから広がる向きに変位可能である。
最小相互間隔ｄは、車輪用ストッパー２を適用し得る最小車輪の前後にストッパ部材４ａ、４ｂが弾力的に食い込む間隔である。
車輪用ストッパー２を車輪に用いるときは、弾性支持体５を押し広げてストッパ部材４ａ、４ｂを、図１に示すように、車輪１の前後にセットする。
【００１０】
弾性支持体５の両端部をストッパ部材４ａ、４ｂの側面に差し込むことにより、ストッパ部材４ａ、４ｂは弾性支持体５に固定されるが、弾性支持体５のストッパ部材４ａ、４ｂに差し込まれているストッパ部材取り付け部分に対しストッパ部材４ａ、４ｂを摩擦的に回転自在結合すれば、ストッパ部材４ａ、４ｂが車輪の前後にセットされたとき、それらの底面全域が常に地面に接した状態となる。
【００１１】
針金状の弾性支持体５の代わりに、帯状の弾性支持体を用いてもよい。
図３は、弾性支持体に帯状の弾性支持体１５を用い、その両端にストッパ部材４ａ、４ｂを固定した実施の形態を示す。
【００１２】
弾性支持体５及び１５は、それらの両端から立ち上がった形状になっているが、図４は、湾曲部が手前側に延びた形状の弾性支持体２５を用いた車輪用ストッパーを示す。
【００１３】
図５は、弾性支持体３５の中央頂部を一巻きした弾性支持体３５を用いた車輪用ストッパーを示す。
【００１４】
本考案において、ストッパ部材対が車輪の前後にセットされた位置から離脱しなければ目的は達せられるので、ストッパ部材の相互間隔を狭める向きにストッパ支持部材を付勢する弾性支持体の弾力は比較的弱くてもよく、また弾性支持体の形状も各図に示す形状に限定されるものではない。ストッパ部材の底面を凹凸面にすれば、ストッパ部材と地面との摩擦力を強くすることができる。
【図面の簡単な説明】
【００１５】
【図１】本考案の第１の実施の形態を示す車輪用ストッパーの正面図であって、車輪用ストッパーを車輪にセットした状態を示す。
【図２】図１に示す車輪用ストッパーの斜視図である。
【図３】本考案の第２の実施の形態を示す車輪用ストッパーの斜視図である。
【図４】本考案の第３の実施の形態を示す車輪用ストッパーの斜視図である。
【図５】本考案の第４の実施の形態を示す車輪用ストッパーの斜視図である。
【符号の説明】
【００１６】
１          車輪
２          車輪用ストッパー
３          地面（床面）
４ａ、４ｂ    ストッパ部材
５、１５、２５、３５    ストッパ支持部材
【図１】
0003116224.tif 000003
【図２】
0003116224.tif 000004
【図３】
0003116224.tif 000005
【図４】
0003116224.tif 000006
【図５】
0003116224.tif 000007
(57)【要約】      （修正有）【課題】栓を繋ぐ鎖が切れたり、鎖から栓が外れたりすると、その栓があちこちに転がってしまうことを防止する栓を提供する。【解決手段】容器用栓１の底面に、洗面台や浴槽などの平滑面に吸着固定する吸着盤３を設け、浴槽の平滑面からなる内壁４に手で押し付け、吸着盤３真空作用により内壁４に吸着固定する事が出来る。【選択図】図２
0003116225.tif 000002
【実用新案登録請求の範囲】
【請求項１】
底面に吸着盤を有する容器用栓。
【考案の詳細な説明】
【技術分野】
【０００１】
本考案は、洗面台や浴槽などの容器用の栓に関する。
【背景技術】
【０００２】
洗面台や浴槽などの容器の排水孔を開閉する容器用栓は高硬度のゴムや合成樹脂で作られていて、中心線を含む断面形状が略台形をなし、容器の排水口に上方から嵌合して排水口を閉鎖する。容器用栓は、その上面に一端が固定された鎖で洗面台や浴槽などの一部に繋がれている。
【考案の開示】
【考案が解決しようとする課題】
【０００３】
洗面台や浴槽などの排水口を開いた栓は、洗面台や浴槽の縁の平坦面に置くか、または浴槽の内面壁にぶら下がった状態に置かれる。そのため、栓を繋ぐ鎖が切れたり、鎖から栓が外れたりすると、その栓があちこちに転がってしまうという問題点がある。
【０００４】
本考案は、従来の容器用栓の問題点を解決した容器用栓を提供することを目的とする。
【課題を解決するための手段】
【０００５】
本考案は、容器用栓の底面に吸着盤を有することを特徴とする。
【考案の効果】
【０００６】
本考案によれば、容器用栓を洗面台や浴槽の近辺の所望の位置に吸着盤によって固定的に置くことができるので、容器用栓の不要な転がりを防止できる効果を奏する。
【考案を実施するための最良の形態】
【０００７】
図１において、容器用栓１は基端を浴槽の側壁の一部に繋いだ鎖２の自由端に取り付けられている。容器用栓１の底部は深くくびれていて、容器用栓１の底面に吸着盤３が形成されている。
【０００８】
容器用栓１を、図２に示すように、浴槽の平滑面からなる内壁４に手で押し付け、吸着盤３の真空作用により内壁４に吸着固定することができる。
【０００９】
図３は、上部にフランジ１０ａを有する容器用栓１０を示し、吸着盤１３を、容器用栓１０とは別の部材で作って、これを容器用栓１０の底面に固着した実施の形態を示す。
【図面の簡単な説明】
【００１０】
【図１】本考案の第１の実施の形態を示す容器用栓の吸着盤部を断面で示す側面図である。
【図２】本考案の容器用栓の使用の一形態を示す斜視図である。
【図３】本考案の第２の実施の形態を示す容器用栓の吸着盤の一部を断面で示す側面図である。
【符号の説明】
【００１１】
１、１０    容器用栓
２          鎖
３、１３    吸着盤
４          浴槽の内壁
【図１】
0003116225.tif 000003
【図２】
0003116225.tif 000004
【図３】
0003116225.tif 000005
(57)【要約】【課題】針金ハンガーにおいて、滑り止めと美感向上という一石二鳥の効果を得る。【解決手段】少なくとも肩部にテープ状の生地（２）を螺旋状に巻き付けたことを特徴とする針金ハンガー（１）である。テープ状の生地（２）は、ハンガー全体に巻き付けること、多色であること、幅が５ｍｍ−２０ｍｍであり、隙間が発生しないように縁を重ねながら巻き付けること、縁処理されていないものを使用することが好ましい。裁断後に不要となった端切れを使用することもできる。【選択図】図１
0003116259.tif 000002
【実用新案登録請求の範囲】
【請求項１】
少なくとも肩部（３）にテープ状の生地（５）を螺旋状に巻き付けたことを特徴とする針金ハンガー（１）。
【請求項２】
全体にテープ状の生地（５）を螺旋状に巻き付けた請求項１記載の針金ハンガー。
【請求項３】
テープ状の生地（５）が多色である請求項１又は２記載の針金ハンガー。
【請求項４】
テープ状の生地（５）の幅が５ｍｍ−２０ｍｍであり、隙間が発生しないように縁を重ねながら巻き付けられた請求項１ないし３のいずれかに記載の針金ハンガー。
【請求項５】
テープ状の生地（５）が裁断後に不要となった端切れである請求項１ないし４のいずれかに記載の針金ハンガー。
【請求項６】
テープ状の生地（５）は縁処理を施していないものである請求項１ないし５のいずれかに記載の針金ハンガー。
【考案の詳細な説明】
【技術分野】
【０００１】
本考案は、針金ハンガーに関し、特に滑り止め機能を有する針金ハンガーに関する。
【背景技術】
【０００２】
衣服がハンガーからずり落ちて、型くずれしないように、ハンガーに滑り止め機能を持たせた発明が知られている（例えば、下記特許文献１−４参照）。そのうち特許文献１−３は、ハンガーの肩部に滑り止め片を取り付けたことを特徴とする。しかし、これらはいずれも滑り止め片を取り付けられる程度の比較的に厚みのあるハンガーであって、針金ハンガーにはとても適用出来ない発明である。
【０００３】
その点、特許文献４は、針金ハンガーに関して滑り止めを施した発明である。これは一対の袋状の肩補強部を針金ハンガーに被せることを特徴としている。
【特許文献１】特開平５−２６７６０４
【特許文献２】特開平５−２７７０２６
【特許文献３】実開平７−３３１７１
【特許文献４】特開２００１−２３８８９０
【考案の開示】
【考案が解決しようとする課題】
【０００４】
特許文献４の発明は、袋状の肩補強部を形成するために、大量の布地を必要とし、場合によれば、本体よりも肩補強部の方が高価になるのではないかと思われる。また、美感の上でも問題がある。
【０００５】
本考案は、針金ハンガーにテープ状の生地を螺旋状に巻き付けることにより、滑り止めと美感向上という一石二鳥の効果を得ることを目的とする。
【課題を解決するための手段】
【０００６】
本考案は、少なくとも肩部にテープ状の生地を螺旋状に巻き付けたことを特徴とするハンガーである。
【考案の効果】
【０００７】
本考案のハンガーによれば、テープ状の生地が肩部に螺旋状に巻き付けられているので、美しい模様を形成すると共に、テープ生地の摩擦力により、衣服のずれ落ちを防止することができる。
【考案を実施するための最良の形態】
【０００８】
現在市販されている針金ハンガーは、錆の発生を防止するため針金の上をビニール管で覆っているが、テープ状の生地はそのビニール管の上に巻き付けるのが好ましい。
【０００９】
テープ状の生地は、滑り止めという目的のためには肩部だけでよいが、全体のデザイン上の観点からは、ハンガー全体に亘って巻き付けることが好ましい。
【００１０】
生地は、螺旋状に巻き付けたとき、できるだけ美しい模様を形成することができるように多色のものを使用することが好ましい。ただし、針金ハンガーは細いので、元からあった生地の模様は針金ハンガー上には現れない。そのため、今まで使い道がなく捨てていた端切れのような生地でも使用することができる。端切れのような生地ではきれいに縁処理されていないことが多いが、摩擦効果を上げるためにはむしろそのような生地の方が好ましいということも出来る。
【００１１】
テープ状の生地の幅は、５ｍｍ−２０ｍｍ程度が普通である。これを隙間が出ないように縁を重ねながら針金ハンガーに巻き付けるのが好ましい。
【００１２】
巻き付け方法は、手作業でもよいし、機械化されてもよい。針金をハンガーの形状に折り曲げる前にテープ状の生地を巻き付けてもよいし、ハンガーの形状に折り曲げた後でテープ状の生地を巻き付けてもよい。
【００１３】
巻き付けたテープ状の生地の端部は、ほどけないように接着剤などでハンガーに固定させる必要がある。
【実施例１】
【００１４】
図１は、本考案の１実施例に係る針金ハンガー１の正面図である。図２はその一部拡大斜視図である。
【００１５】
このハンガーも公知の針金ハンガーと同様に、壁などに掛けるのに使用するフック部２、直接衣服がかけられる肩部３、両肩部をつなぐ底部４を有する。
【００１６】
本考案では、図２に示すように、ハンガー１の全面にわたって、幅約１０ｍｍのテープ状の布５が、隙間が発生しないように縁が重ねられて、螺旋状に巻き付けられている。衣服が直接掛けられる肩部３もテープ状の生地５で覆われている。
【００１７】
テープ状の生地５を巻き付ける前のハンガーは市販のものを利用した。図２に示すように、市販の針金ハンガーは錆の発生を防止するため針金６の上をビニール管７で覆っている。テープ状の生地５はそのビニール管７の上に巻き付けた。
【００１８】
巻き付けに使用したテープ状の生地５はきれいに縁処理されていないものであったので、巻き付けたときに縁の糸８が立ち上がった。
【００１９】
この針金ハンガー１は、図面上表現できないが、多色のテープ状の生地を使用したので、美しい模様を形成している。また、テープ状の生地の摩擦力により、衣服をかけてもずり落ちるようなことはなかった。特に縁の糸８が摩擦力の増大に寄与していると考えられる。
【図面の簡単な説明】
【００２０】
【図１】本考案の１実施例に係る針金ハンガーの正面図である。
【図２】その一部拡大斜視図である。
【符号の説明】
【００２１】
１     針金ハンガー
３     肩部
５     テープ状の生地
６     針金
７     ビニール管
８     立ち上がった縁の糸
【図１】
0003116259.tif 000003
【図２】
0003116259.tif 000004
(57)【要約】      （修正有）【課題】従来は、装着のために介助者と二人がかりで２０秒程度かかっていたが、このような他人の介助がなくても、清潔状態を維持したまますばやく装着することができる滅菌手術着の提供。【解決手段】外科手術時に着用する首下から上下肢・胸腹部・背中・腰部・臀部を覆え、背中２で合わせる手術衣に於いて、襟首の部分４を、切れ目のない四角形に構成し、その後辺にゴムを入れて伸縮性を持たせ、頭部を内側から該襟首を通して出すようにするだけで着用が可能な手術衣５。【選択図】図１
0003116212.tif 000002
【実用新案登録請求の範囲】
【請求項１】
外科手術時に着用する首下から上下肢、胸腹部、背中、腰部、臀部を覆え、背中で合わせる手術衣に於いて、襟首の部分を、切れ目のない四角に構成し、その後辺にゴムを入れて伸縮性を持たせ、頭部を内側から該襟首を通して出すようにするだけで着用が可能な滅菌手術衣。
【考案の詳細な説明】
【技術分野】
【０００１】
本考案は、外科手術を行う時、滅菌された手術衣を着るにあたり他人の手を借りずに素早くかつ、滅菌状態を維持したまま手術衣を着る事を可能にした手術衣に関するものである。
【背景技術】
【０００２】
滅菌手術衣を着ようとするものは、手指を殺菌手洗いしてきたにもかかわらず滅菌されていない背中などの紐を結ぶ際に触れ不潔になってしまう。そのため後頚部や、腰の紐を結ぶためには介助者（第三者）の手を借りる必要があった。
従来の手術衣は襟首が円形であり後頚部を紐、またはマジックテープ（登録商標）で留めるようになっている。その為、介助者が腰の部分で紐を結び、さらに、自分が前胸部の紐を背中に回し、さらに前に持ってくることで前にすでにある紐と結ぶことで固定するという形態をなしている。そのため、後頚部の紐、背中の紐の２箇所は必ず介助者の手を借りなければならないからである。
【考案の開示】
【考案が解決しようとする課題】
【０００３】
従来の手術衣は、手術衣を着る時に介助者の手を借りなければ着る事ができなかった。そのため、介助者がいない場合や、介助者がほかの処置などで手が回らない時は手術衣を着る事ができずに待っているしかなく、手術に支障（始まりが遅くなる）をきたすという問題がある。そのため、一人で素早く手術衣を着る事ができるこの術衣により、１秒を争う緊急帝王切開術や、多くの症例を抱える眼科手術などをはじめ、全ての外科手術において医師、看護師の労力、時間短縮などにおいて本考案が解決できる課題は多い。
【０００４】
本考案は、介助者がいなくとも術者は術衣を着る事ができるため、手指を殺菌手洗いして来てすぐに手術衣を着る事を目的としており、素早く、そして、他の処置を中断させることなく手術がはじめられる手術衣及び、その製造方法を提供することを目的としている。
【課題を解決するための手段】
【０００５】
上記の目標を達成するために、本発明は外科手術時に着用する手術衣に於いて、襟首の部分を、切れ目のない四角に構成し、その後辺にゴムを入れて伸縮性を持たせ、頭部を内側から該襟首を通して出すようにするだけで着用が可能な手術衣である。
【０００６】
すなわち、本考案の手術衣においては従来の丸襟首で後頚部を紐、もしくはマジックテープ（登録商標）で固定していたものをかぶりの切れ目のない四角の襟首とし、後辺の一辺にゴムを入れ伸縮性を持たせた。四角の襟首とした理由は、個々の頭の大きさの違いに対応できること、眼鏡をしたままでも術衣を着衣することを可能にしたためである。
【考案の効果】
【０００７】
この術衣を装着しようとするものは、介助者の手を借りることなく、かつ、清潔状態を維持したまま、すばやく装着することができる。そのため、介助者の仕事を中断させることなく、手術自体の流れをスムーズに行うことができる。
【考案を実施するための最良の形態】
【０００８】
本考案の実施の形態を一実施例に基づき図面を参照して説明する。
図１〜４に示すように、襟首４の開口部を平面から見て四角形とし、その襟周りの後辺４ｃにゴムをいれ伸縮性を持たせた。その他の部位は従来の手術衣と同様である。
【０００９】
表裏反転状態で梱包されている手術衣を、装着者が取り出し、まず、両腕の清潔を維持したまま後ろの合わせ２の部分を観音開きにし、袖５ａを通しながら裾５ｂの部分を床に着かないように下に落とす。続いてその腕を上に持ち上げることで手術衣自体を持ち上げ、そのまま後ろの合わせ２から頭を通し、後頭部を手術衣５の襟首４の後辺のゴムの部分４ｃに押し付け、両腕で引くようにして頭を通す。その後は、従来の手術衣同様、前胸部にかけている紐１を背中から回し、腰部に固定してあった紐３と結び、手術衣５を身体に固定する。
【００１０】
襟首４を四角形にしてあるのは、眼鏡や、感染症対策のフェイスガードをしている場合でも、楽に装着できるようにするためである。ゴムが入っているため着衣後は襟首が首の大きさになる。そのため従来の紐が必要なくなった。
【００１１】
この手術衣５の場合、完全に一人で装着することができる。しかし、従来の背中の内固定の紐が無いため、若干装着感は薄れるが手術操作になんら支障はなく、特に、緊急手術においては必要のないものである。従来の手術衣は、襟首が丸であり後頚部で紐、もしくはマジックテープ（登録商標）で止めるようになっているため、自分ひとりでは着衣することができない。
【００１２】
図３及び図４に示すように襟首後編の部分４ｃにゴムを挿入し、伸縮性を持たせた。他の３辺４ａ、４ｂは、伸縮性はない。
装着時に後ろの合わせの部分２から頭を入れ、襟首後編の部分４ｃに後頭部を押し当て、他の３辺４ａ、４ｂを下に下げることで顔をまず出し、その後、襟首後編の部分４ｃを下ろし、後頚部につける。そうすることで両腕を不潔にすることなく手術衣を着ることができる。
【図面の簡単な説明】
【００１３】
【図１】本考案の一実施例の正面説明図である。
【図２】本考案の一実施例の背面説明図である。
【図３】本考案の一実施例の折り畳んだ手術衣の襟首周りの平面説明図である。
【図４】本考案の一実施例の襟首中心の背面説明図である。
【符号の説明】
【００１４】
１    左腰部（逢着）から前胸部にかけてある紐。
２    ここから手を挿入し、ついで頭を通して着衣するあわせ部分。
３    腰部に逢着してある紐。
４    四角の襟首の全体像。
４ａ  四角襟首の伸縮性のない襟首前辺。
４ｂ  四角襟首の伸縮性のない襟首側辺。
４ｃ  四角襟首の伸縮性のある後辺。
５    手術衣の全体像。
５ａ  手術衣の袖。
５ｂ  手術衣の裾。
【図１】
0003116212.tif 000003
【図２】
0003116212.tif 000004
【図３】
0003116212.tif 000005
【図４】
0003116212.tif 000006
(57)【要約】      （修正有）【課題】健康を保つために重量が調整できる運動装置を提供する。【解決手段】重荷を背負わせる装置２０は殻体２１を含んでユーザの体に架設され、殻体２１にユーザが握るハンドル３１が設けられ、殻体２１の中に収容空間を持ち、おもり２３が脱着可能に設置され、カバーは殻体２１に枢設され、少なくとも一つの弾性ユニット２６を持ち、弾性ユニットはおもり２３につっかいをする。【選択図】図１
0003116214.tif 000002
【実用新案登録請求の範囲】
【請求項１】
重荷を背負わせる装置を含み、
重荷を背負わせる装置（２０）は、殻体（２１）を含んでユーザの体に架設され、
殻体（２１）にハンドル（３１）が設けられ、ユーザが握ることを特徴とする健康を保つために重量が調整可能な運動装置。
【請求項２】
殻体（２１）の中に収容空間（２２）を持ち、収容空間（２２）にはおもり（２３）を設置し、
カバー（２４）は、殻体（２１）に枢設され、少なくとも一つの弾性ユニット（２６）を持ち、弾性ユニット（２６）はおもり（２３）につっかいをすることを特徴とする請求項１に記載の健康を保つために重量が調整可能な運動装置。
【考案の詳細な説明】
【技術分野】
【０００１】
本考案は健康を保つために重量が調整可能な運動装置に関するものである。
【背景技術】
【０００２】
従来から、既知の亜鈴は人体に貼り付けることができず、上半身の筋肉を鍛錬することができない。
【考案の開示】
【考案が解決しようとする課題】
【０００３】
ある人は砂袋を背に背負って、運動の目的を達成する。ところが、砂袋にハンドル（handle）がないので、操作がとても不便である。
したがって、本考案の主な目的は、健康を保つために重量が調整可能な運動装置を提供することにある。
【課題を解決するための手段】
【０００４】
上記目的を達成するため、本考案に係る健康を保つために重量が調整可能な運動装置は、重荷を背負わせる装置を含み、重荷を背負わせる装置は、殻体を含んでユーザの体に架設され、殻体にユーザが握るハンドルが設けられ、殻体の中に収容空間を持ち、収容空間にはおもりが脱着可能に設置され、カバーは、殻体に枢設され、少なくとも一つの弾性ユニットを持ち、弾性ユニットはおもりにつっかいをする。
【考案を実施するための最良の形態】
【０００５】
本考案の目的、特徴および効果などをご了解いただくために、以下、さらに具体的な実施例を図面とあわせて詳しく説明してみよう。
まずは図１から図３を御覧下さい。本考案にかかる一実施例としての健康を保つために重量が調整可能な運動装置は、主に、ベース１０を含む。それに、支持ブラケット（bracket）１１を設けて、一つ又は一つ以上の定着ユニット（unit）１２が突出すように設置される。それで、重荷を背負わせる装置２０を定着させる。さらに、ベース１０に、一つ又は一つ以上の支持ユニット１３を設けて、おもり２３を配置する。
【０００６】
重荷を背負わせる装置２０は殻体２１を含んで、収容空間２２を持ち、様々な異なる重荷材料又はおもり２３を収容する。様々な異なる重荷材料又はおもり２３で、重荷を背負わせる装置２０の重量を調整する。カバー（cover）２４は殻体２１に枢設及び接続され、収容空間２２を封じて、重荷材料又はおもり２３を殻体２１の中に保持する。
カバー２４はロック（lock）２５を含んで、ロック２５は、カバー２４を殻体２１に留めたり外したりするのを可能にする。カバー２４は、一つ又は一つ以上の弾性ユニット２６を具有し、カバー２４が閉じるときに、安定かつ丈夫なように、重荷材料又はおもり２３につっかいをする。重荷を背負わせる装置２０の殻体２１の底部として、適当な弧形を採用するので、快適に、ユーザの胸に架設される。殻体２１に、成型溝２７があるので、二本の支持アーム２８を形成し、ユーザの首に適用できる。重荷材料又はおもり２３の形状は、うまく殻体２１に対応する成型溝２９を採用してもよく、安定かつ丈夫なように、殻体２１の中に架設される。
【０００７】
殻体２１に、突出ユニット３０がある。突出ユニット３０にハンドル３１を配置して、利便に握らせる。ハンドル３１は殻体２１の形状に対応するように設けられるので、ユーザが利便に握る。使用する場合には、ユーザはまず重荷を背負わせる装置２０を自身の胸に架設し、上半身の筋肉を鍛錬する。重量の調整が必要であれば、カバー２４を図３に示すように開けて、様々な重荷材料又はおもり２３を殻体２１に追加するか、又は取り出す。ちなみに、殻体２１の底部に、ゴムやプラスチック（plastic）や他の人造軟質材料から作られるパッドを入れて、ユーザを保護し、傷害を避ける。
【図面の簡単な説明】
【０００８】
【図１】本考案の一実施例による健康を保つために重量が調整可能な運動装置の立体図である。
【図２】本考案の一実施例による健康を保つために重量が調整可能な運動装置の局部の分解図である。
【図３】本考案の一実施例による重荷を背負わせる装置の局部の分解図である。
【図４】本考案の一実施例による健康を保つために重量が調整可能な運動装置の実施状態の説明図である。
【符号の説明】
【０００９】
１０  ベース１０、１１  支持ブラケット、１２  定着ユニット、２０  重荷を背負わせる装置、１３  支持ユニット、２３  おもり、２１  殻体、２２  収容空間、２４  カバー、２５  ロック、２６  弾性ユニット、２８  支持アーム、２９  成型溝、３０  突出ユニット、３１  ハンドル
【図１】
0003116214.tif 000003
【図２】
0003116214.tif 000004
【図３】
0003116214.tif 000005
【図４】
0003116214.tif 000006
(57)【要約】【課題】  濾紙がドリッパーの内周に密着せず、通気が良好に行われ、抽出されるコーヒーの風味が損なわれないコーヒードリッパーを提供する。【解決手段】  コーヒードリッパー１は、内周にリブ７を備えた円錐筒状の本体２を有する。複数のリブ７は、下方から上方に向かって相互間隔か広がる螺旋状に配置され、かつそれぞれ下方に向かうにしたがって本体２の内側に順次高くなるように隆起する。リブ７は、本体２の下端付近から上端付近まで連続して形成される。複数のリブ７の上部相互間に、本体２の上端付近から上下方向中間部に至らない長さで、リブ７の螺旋に沿った短リブ８が追加的に形成される。【選択図】  図１
0003116219.tif 000002
【実用新案登録請求の範囲】
【請求項１】
上方に開放する円形の広い上部開口と下方に開放する円形の狭い注出開口を備えた円錐筒状の本体を有し、この本体の内周には、濾紙との間に空間を形成するための複数のリブが形成されているコーヒードリッパーにおいて、
前記複数のリブが、下方から上方に向かって相互間隔か広がる螺旋状に配置され、かつそれぞれ下方に向かうにしたがって本体の内側に順次高くなるように隆起していることを特徴とするコーヒードリッパー。
【請求項２】
前記複数のリブが、それぞれ前記本体の下端付近から上端付近まで連続して形成されていることを特徴とする請求項１に記載のコーヒードリッパー。
【請求項３】
前記本体の下端付近から上端付近まで連続する前記複数のリブの上部相互間に、本体の上端付近から上下方向中間部に至らない長さで、前記リブの螺旋に沿った短リブが形成されていることを特徴とする請求項２に記載のコーヒードリッパー。
【考案の詳細な説明】
【技術分野】
【０００１】
この考案は、円錐筒形の濾紙を使用してコーヒーを抽出する漏斗型のコーヒードリッパーに関する。
【背景技術】
【０００２】
円錐筒形漏斗型のコーヒードリッパーとして、例えば特許文献１に記載されたコーヒー等の濾器がある。この濾器は、上方に開放する円形の広い上部開口と下方に開放する円形の狭い注出開口を備えた円錐筒状の本体を有し、この本体の内周には、濾紙との間に空間を形成するための複数のリブが形成されている。各リブは、直線状に本体の下端から、その高さの半分に至らない位置まで上下方向に伸び、相互間隔が下方に向かって縮小しており、かつその隆起高さが下方に向かって徐々に高くなるように構成されている。
【特許文献１】実公昭５８−１１３１２号公報
【考案の開示】
【考案が解決しようとする課題】
【０００３】
上記従来のコーヒードリッパーにおいては、リブが直線状であることと、それが本体の下端からその中間部付近までしか延長していないことから、コーヒーを抽出する際に、水分を吸収して張りを失った濾紙の上部が、不均一にドリッパー本体の内周に密着し、通気が不均一に阻害されることになる。この結果、コーヒー粉の蒸らしが均一かつ円滑に行われず、抽出されるコーヒーの風味が損なわれるという問題点がある。
したがって、この考案は、濾紙がドリッパー本体の内周に密着せず、通気が良好に行われ、抽出されるコーヒーの風味が損なわれないコーヒードリッパーを提供することを目的としている。
【課題を解決するための手段】
【０００４】
この考案においては、上記課題を解決するため、内周にリブ７を備えた円錐筒状の本体２を有するコーヒードリッパー１において、当該複数のリブ７を、下方から上方に向かって相互間隔か広がる螺旋状に配置し、かつそれぞれ下方に向かうにしたがって本体２の内側に順次高くなるように隆起させる構成を採用した。
また、上記のリブ７を本体２の下端付近から上端付近まで連続して形成する構成を採用した。
さらに、本体２の下端付近から上端付近まで連続する複数のリブ７の上部相互間に、本体２の上下方向中間部に至らない長さで、リブ７の螺旋に沿った短リブ８を追加的に形成する構成を採用した。
【考案の効果】
【０００５】
複数のリブ７を、下方から上方に向かって相互間隔か広がる螺旋状に配置し、かつそれぞれ下方に向かうにしたがって本体の内側に順次高くなるように隆起させる構成を採用したため、ドリッパー本体２の内周の円周方向全体にわたりリブ７が配置される結果、濾紙全体に均一な通気性が確保され風味の良好なコーヒーを抽出できる。
また、上記のリブ７を本体の下端付近から上端付近まで連続して形成する構成を採用した場合には、リブが上下方向にも全体にわたり配置される結果、空気が上下方向に抜けやすく、濾紙Fの全体にさらに均一な通気性が確保される。
本体２の下端付近から上端付近まで連続する複数のリブ７の上部相互間に、本体２の上端付近から上下方向中間部に至らない長さで、リブ７の螺旋に沿った短リブ８を追加的に形成する構成を採用する場合には、上部において過大に広がったリブ７の相互間隔内に短リブ８が配置され、それによって当該間隔内の濾紙Fの密着が回避できる。
【考案を実施するための最良の形態】
【０００６】
図面を参照してこの考案の実施の形態を説明する。図１は本考案のコーヒードリッパーの断面図、図２は本考案のコーヒードリッパーの平面図である。
【０００７】
陶器、ガラス、合成樹脂で構成されるコーヒードリッパー１は、濾紙Fを受け入れる切頭円錐筒状の本体２と、取っ手３と、容器Sの上に載せ置かれる鍔４とを具備する。
【０００８】
本体２は、上方に開放する円形の広い上部開口５と下方に開放する円形の狭い注出開口６を備える。本体２の内周には、濾紙Fとの間に空間を形成するための複数のリブ７，８が形成されている。
【０００９】
リブ７は、複数設けられ、本体２の下端から上端に向かって相互間隔か広がる螺旋状に配置される。リブ７は、それぞれ下方に向かうにしたがって本体２の内側に順次高くなるように隆起しており、本体２の下端付近から上端付近まで連続して形成されている。
【００１０】
リブ７の上部の相互間には、本体２の上下方向中間部に至らない長さで、リブ７の螺旋に沿った短リブ８が形成されている。
このコーヒードリッパー１に用いられる濾紙Fは、円錐形状であり、装着時に先端が注出開口６から下方へ突出する。
【００１１】
ドリッパー本体２の内周の円周方向および上下方向の全体にわたりリブ７，８が配置される。この結果、リブ７，８により、濾紙Fと本体２の内周との間に形成される空間が本体２の全体にわたり、コーヒーを抽出するときに、濾紙F全体に均一な通気性が確保され、濾過が全体で均一に行われる。この結果、風味の良好なコーヒーを抽出できる。
【００１２】
短リブ８は、上部において過大に広がったリブ７の相互間隔内に配置され、濾紙Fが上部においてドリッパー本体２との密着するのを防止する。
【図面の簡単な説明】
【００１３】
【図１】本考案のコーヒードリッパーの断面図である。
【図２】本考案のコーヒードリッパーの平面図である。
【符号の説明】
【００１４】
１      ドリッパー
２      本体
３      取っ手
４      鍔
５      上部開口
６      注出開口
７      リブ
８      短リブ
F      濾紙
【図１】
0003116219.tif 000003
【図２】
0003116219.tif 000004